(57)【特許請求の範囲】
【請求項１】
タッチパネル端末によって実行される電子チケット管理方法であって、前記タッチパネル端末は、分配回数、ならびにチケット対象ごとに定められた分配制限数および分配可否を含む電子チケット管理データ記憶部を有し、
前記電子チケット管理データ記憶部から、同一のチケット対象に対する複数の電子チケットデータレコードを取得するステップと、
前記タッチパネル端末のタッチパネルディスプレイ上の第１の領域に、前記取得した複数の電子チケットデータレコードに対応する複数の電子チケット画像を表示し、および、前記タッチパネルディスプレイ上の第２の領域に、視認可能な枠を有し、非電子チケット画像である検出領域画像を表示するステップと、
前記表示した複数の電子チケット画像の第１の電子チケット画像上で第１の入力操作を検出するステップと、
前記第１の入力操作を検出したことに応答して、前記表示した第１の電子チケット画像を、選択済みの画像に更新するステップと、
前記表示した検出領域画像上で第２の入力操作を検出するステップと、
前記第２の入力操作が、前記第２の領域において所定の距離移動したことに応答して、前記選択済みの画像に更新した第１の電子チケット画像を、もぎり処理済みの画像に更新するステップであって、前記もぎり処理済みの画像は、前記第１の電子チケット画像に対応する電子チケットが使用されたことを示す、ステップと、
前記表示した複数の電子チケット画像の第２の電子チケット画像上で第３の入力操作を検出するステップと、
前記第３の入力操作を検出したことに応じて、前記第２の電子チケット画像を、選択済みの画像に更新するステップと、
前記タッチパネルディスプレイ上の所定の領域上で、第２のタッチパネル端末の送信先アドレスの入力を受け付けるステップと、
前記取得した複数の電子チケットデータレコードの、前記第２の電子チケット画像に対応する第２の電子チケットデータレコードに含まれる分配回数と分配制限数との比較、および／または分配可否に基づいて、前記第２の電子チケットデータレコードを前記受け付けた送信先アドレスに送信するかを判定するステップと、
前記判定に基づいて、前記第２の電子チケットデータレコードを前記受け付けた送信先アドレスに送信するステップと
を備えたことを特徴とする方法。
【請求項２】
前記第２の領域に、前記第１の電子チケット画像に対応する券面情報画像を表示するステップと、
前記表示した券面情報画像上で第４の入力操作を検出するステップと
をさらに備え、
前記検出領域画像は、前記第４の入力操作を検出したことに応答して表示される
ことを特徴とする請求項１に記載の方法。
【請求項３】
前記第２の入力操作は、前記第２の領域の任意の２以上の点に対する入力操作であることを特徴とする請求項１または２に記載の方法。
【請求項４】
タッチパネル端末であって、
分配回数、ならびにチケット対象ごとに定められた分配制限数および分配可否を含む電子チケット管理データ記憶部と、
前記電子チケット管理データ記憶部から、同一のチケット対象に対する複数の電子チケットデータレコードを取得する手段と、
前記タッチパネル端末のタッチパネルディスプレイ上の第１の領域に、前記取得した複数の電子チケットデータレコードに対応する電子チケット画像を表示し、および、前記タッチパネルディスプレイ上の第２の領域に、視認可能な枠を有し、非電子チケット画像である検出領域画像を表示する手段と、
前記表示した複数の電子チケット画像の第１の電子チケット画像上で第１の入力操作を検出する手段と、
前記第１の入力操作を検出したことに応答して、前記表示した第１の電子チケット画像を、選択済みの画像に更新する手段と、
前記表示した検出領域画像上で第２の入力操作を検出する手段と、
前記第２の入力操作が、前記第２の領域において所定の距離移動したことに応答して、前記選択済みの画像に更新した電子チケット画像を、もぎり処理済みの画像に更新する手段であって、前記もぎり処理済みの画像は、前記第１の電子チケット画像に対応する電子チケットが使用されたことを示す、手段と、
前記表示した複数の電子チケット画像の第２の電子チケット画像上で第３の入力操作を検出する手段と、
前記第３の入力操作を検出したことに応じて、前記第２の電子チケット画像を、選択済みの画像に更新する手段と、
前記タッチパネルディスプレイ上の所定の領域上で、第２のタッチパネル端末の送信先アドレスの入力を受け付ける手段と、
前記取得した複数の電子チケットデータレコードの、前記第２の電子チケット画像に対応する電子チケットデータレコードに含まれる分配回数と分配制限数との比較、および／または分配可否に基づいて、前記対応する電子チケットデータレコードを前記受け付けた送信先アドレスに送信するかを判定する手段と、
前記判定に基づいて、前記対応する電子チケットデータレコードを前記受け付けた送信先アドレスに送信する手段と
を備えたことを特徴とするタッチパネル端末。
【請求項５】
請求項１乃至３のいずれか一項に記載の方法をタッチパネル端末に実行させるためのプログラム。
【請求項６】
請求項５に記載のプログラムを記録したコンピュータ可読記憶媒体。
【発明の詳細な説明】
【技術分野】
【０００１】
本発明は，電子チケット管理方法および電子チケット管理プログラムに関する。特に、本発明は、複数の電子チケットに対した連続してもぎり処理を実行することが可能な電子チケット管理方法および電子チケット管理プログラムに関する。
【背景技術】
【０００２】
近年、スマートフォンなどに代表されるタッチパネル端末が広く普及しており、従来は手動で行われていたビジネス方法が、タッチパネル端末を利用した方法に置き換えられつつある。
【０００３】
上述したタッチパネル端末を利用したビジネス方法の一つとして、コンサート会場などのイベント会場において、電子チケット画像をタッチパネル端末のタッチパネルディスプレイに表示し、当該電子チケット画像に対してタップまたはスライドなどの操作を行うことによって、電子チケットのもぎり処理を実行する方法が知られている（特許文献１および特許文献２）。この方法によれば、イベント会場において紙媒体をもぎって（紙のチケットをちぎりとる）イベントへの入場を判断していた従来の方法が、タッチパネルディスプレイ上に表示された電子チケットに対してもぎり処理を実行することで、イベントへの入場を判断する方法に置き換えられる。
【０００４】
特許文献１に記載された電子クーポンシステムは、（１）タッチパネルディスプレイに本体画像と切離画像とを連結して表示し、（２）本体画像と切離画像が連結して表示された状態で、タッチパネルディスプレイが、切離画像を表示する領域における座標の入力が継続したまま所定方向にスライドするスライド入力を検出した場合に、本体画像から切離画像を切り離す表示し、（３）切離画像についてのクーポンが使用された旨の使用済データを生成する、ことによって、電子クーポンのもぎり処理を実現している。
【０００５】
特許文献２に記載されたチケット処理方法は、（１）携帯型端末装置が、チケット画像を表示した画面上でユーザの指の接触位置の移動経路が予め決められた所定のパターンであると判断したことを条件に画面上で予め決められた所定の操作を検出し、当該検出を条件に当該チケットデータの使用履歴を示すステータスデータを更新するためのもぎり処理を行い、（２）所定のパターンとして複数のパターンが規定され、当該複数のパターンの各々にもぎり処理後に表示する画像が対応付けられており、（３）携帯型端末装置は、画面上において予め規定されたもぎり位置を基に当該画面上に規定された被もぎり領域内で、所定のパターンの移動経路が存在することを検出すると、ステータスデータを更新するための処理を行い、（４）所定のパターンの移動経路が存在することを検出すると、被もぎり領域内の画像を、もぎり処理前の画像から、当該検出された所定のパターンに対応付けられたもぎり処理後の画像に更新する、ことによって、チケットのもぎり処理を実現している。
【先行技術文献】
【特許文献】
【０００６】
【特許文献１】特開２０１３−２３８９３７号公報
【特許文献２】特許第５２５６３７２号公報
【発明の概要】
【発明が解決しようとする課題】
【０００７】
特許文献１に係る電子クーポンシステムでは、切離画像を表示する領域における座標の入力が継続したまま所定方向にスライドするスライド入力が検出された場合に、当該切離画像が本体画像から切離す表示がされる。すなわち、スライド入力の検出領域において所定のスライド入力が検出されると、当該領域の画像が更新される（切り離す表示がされる）。
【０００８】
特許文献２に係るチケット処理方法でも、被もぎり領域内で指の接触位置の移動経路が検出された場合に、当該被もぎり領域内の画像がもぎり処理後の画像に更新される。
【０００９】
上述した先行技術においては、以下のような問題がある。
【００１０】
＜レンダリング処理負荷＞
１つ目の問題を、図１を参照して説明する。図１の例では、親子二人分の野球観戦の電子チケットを購入し、当該親子（親はタッチパネル端末を有しており、子はタッチパネル端末を有していない）が野球場に訪れて、入場口で電子チケットに対するもぎり処理を実行することを前提とする。本ケースでは、子はタッチパネル端末を有していないため、親のタッチパネル端末において、親子二人分の電子チケットに対するもぎり処理を実行する必要がある。
【００１１】
図１Ａは、電子チケットに対するもぎり処理を実行する前の、親の入場分の電子チケットに対応する画像が表示されたタッチパネルディスプレイを示している。電子チケット画像の下部にある検出領域１１（特許文献１の「切離画像を表示する領域」、および、特許文献２の「被もぎり領域」に対応する）において、タップまたはスライドなどの所定の入力操作が検出されると、図１Ｂに示すように検出領域１１に表示された電子チケット画像の切り離す表示がされ、入場済みであることを示す画像に更新される。そして、図１Ｂの画像から図１Ｃの画像（子の入場分の電子チケットに対応する画像が表示される）に更新して、再度、同様のもぎり処理を実行する。
【００１２】
このように、もぎり処理が実行され、検出領域に表示された画像を更新すると、後続のもぎり処理を実行する際に、もぎり処理後に更新された画像を再度、もぎり処理前の画像に更新する際の再度の画像のレンダリング処理が必要となり、ひいては、タッチパネル端末の処理負荷が増大する。加えて、もぎり処理後の画像から再度のもぎり処理前の画像に遷移するためのユーザ入力操作も必要となり、特に、１台の端末を使用して多数の電子チケットに対してもぎり処理を実行するケースなどにおいて、ユーザ操作による甚大な負荷をもたらす。
【００１３】
＜複数チケットに対するもぎり処理＞
２つ目の問題として、特許文献１に係る電子クーポンシステムでは、電子クーポンをダウンロードし、当該電子クーポンに対応する１件のクーポン画像を表示（図６参照）して、当該１つのクーポン画像に対するスライド入力を検出する。この構成では、例えば、同一イベントに対する複数のクーポンを一括購入した場合に、当該複数のクーポンに対し１件毎にダウンロード処理などを繰り返す必要があり、ユーザ負荷が耐え難いものとなる。特許文献２に係るチケット処理方法においても、チケットデータを１件毎にダウンロードして、もぎり処理を実行する構成となっているので、同様の問題が発生する。
【００１４】
＜もぎり処理パターンの視認性＞
３つ目の問題として、特許文献１に係る電子クーポンシステムでは、切離画像を表示する領域においてスライド入力を行う際に、スライドする方向および距離に関するインジケータが表示されていないので、所定のパターンに合致するスライド入力を行うことが困難となる。特許文献２に係るチケット処理方法においても同様に、指の接触位置の移動経路に関するインジケータが表示されていない。
【００１５】
本発明は、このような問題に鑑みてなされたものであり、電子チケットのもぎり処理がされたことを示す画像に更新しつつ、当該更新された画像を再度、もぎり処理前の画像に更新することなく、後続のもぎり処理を実行することが可能であり、上記いずれの問題も解消した電子チケット管理方法および電子チケット管理プログラムを提供することを目的とする。
【課題を解決するための手段】
【００１６】
上記の課題を解決するために、本発明に係る電子チケット管理方法は、タッチパネル端末によって実行される電子チケット管理方法であって、前記タッチパネル端末は、電子チケット管理データ記憶部を有し、前記電子チケット管理データ記憶部から、電子チケットデータレコードを取得するステップと、前記タッチパネル端末のタッチパネルディスプレイ上の第１の領域に、前記取得した電子チケットデータレコードに対応する電子チケット画像を表示し、および、前記タッチパネルディスプレイ上の前記第１の領域とは異なる第２の領域に、検出領域画像を表示するステップと、前記表示した検出領域画像上で第１の入力操作を検出するステップと、前記第１の入力操作が、前記第２の領域において所定の距離移動したことに応答して、前記表示した電子チケット画像を、もぎり処理済みの画像に更新するステップとを備えたことを特徴とする。
【発明の効果】
【００１７】
本発明に係る電子チケット管理方法および電子チケット管理プログラムによれば、検出領域とは別の領域において、電子チケット画像をもぎり処理後の画像に更新しているので、再度の画像のレンダリング処理およびユーザ操作を必要とせずに、後続のもぎり処理を実行することが可能となる。
【図面の簡単な説明】
【００１８】
【図１】従来からの電子チケット管理方法の例を示す図である。
【図２】本発明に係る電子チケット管理方法を実現するコンピューティングデバイスを示す図である。
【図３】図２に示す電子チケット管理サーバおよびタッチパネル端末の機能ブロック図である。
【図４】本発明の第１の実施形態に係る電子チケット管理方法が実行する処理を示すフローチャートである。
【図５】本発明に係る電子チケット管理サーバおよびタッチパネル端末が保持する電子チケット管理データ記憶部の例を示す図である。
【図６】本発明の第１の実施形態に係る電子チケット管理方法において、もぎり処理前の画像を表示したタッチパネルディスプレイを示す図である。
【図７】本発明の第１の実施形態に係る電子チケット管理方法において、もぎり処理後の画像を表示したタッチパネルディスプレイを示す図である。
【図８】電子チケットの分配機能の例を示す図である。
【図９】本発明の第２の実施形態に係る電子チケット管理方法が実行する処理を示すフローチャートである。
【図１０】本発明の第２の実施形態に係る電子チケット管理方法において、電子チケット画像および券面情報画像を表示したタッチパネルディスプレイを示す図である。
【図１１】本発明の第２の実施形態に係る電子チケット管理方法において、検出領域画像を表示したタッチパネルディスプレイを示す図である。
【図１２】本発明の第２の実施形態に係る電子チケット管理方法において、もぎり処理判定入力操作を示す図である。
【図１３】本発明の第１の実施形態に係る電子チケット管理方法において、もぎり処理後の画像を表示したタッチパネルディスプレイを示す図である。
【発明を実施するための形態】
【００１９】
＜用語の定義＞
本明細書において、野球の試合やコンサートなどの催し、温泉施設や飲食店などでのサービス提供の享受、および／または、新幹線などの交通機関の利用など、チケットを購入することでサービスを受けることを総称して「チケット対象」とする。また、タッチパネルディスプレイに表示された画像に触れる操作（タップ）、当該画像に対してはじく操作（フリック）、または、当該画像に触れたまま指を所定の方向に移動させる操作（スライド）などを含む、ユーザの指などによって画像に接触する操作を総称して、「入力操作」とする。
【００２０】
本明細書における「電子チケット」とは、チケット対象に対する入場券を、電子媒体として実現したものであり、電子チケットの画像をタッチパネル端末に表示し、当該画像に対して所定の入力操作を行うことで、電子チケットに対してもぎり処理が実行されたと判定される。
【００２１】
本明細書における「もぎり処理」とは、従来の紙製のチケットをもぎとる（ちぎりとる）ことから由来して、電子チケットに対し入場許可を判定し、当該電子チケットを入場済みのステータスに更新し、および、当該電子チケットの再度の使用を無効にすることを意味する。
【００２２】
以下、添付した図面を参照して、本発明の一実施形態に係る電子チケット管理方法を詳細に説明する。
【００２３】
図２は、本発明の一実施形態に係る電子チケット管理方法を実現するコンピューティングデバイスの例を示す図である。
【００２４】
電子チケット管理サーバ１０１は、複数のタッチパネル端末１０２ａ、１０２ｂ、・・・、１０２ｎ（以下、「タッチパネル端末１０２」）、および、クライアントコンピュータ１０３と、ネットワーク１０４を介して通信を行うように構成されている。電子チケット管理サーバ１０１は、電子チケットデータを生成するなどの処理を実行するコンピューティングデバイスである。タッチパネル端末１０２は、電子チケット管理サーバ１０１から電子チケットデータを受信（ダウンロード）し、当該電子チケットデータをタッチパネルディスプレイに表示し、もぎり処理を実行する、タッチパネルディスプレイを備えた携帯電話などの情報端末である。クライアントコンピュータ１０３は、電子チケットデータを登録および更新する、本発明の電子チケット管理方法に係るサービスを提供する事業者が利用するコンピュータ端末である。
【００２５】
電子チケット管理サーバ１０１は、１つまたは複数のコンピューティングデバイスによって構成されてもよい。また、クライアントコンピュータ１０３は、例えば、通信機能を備えるパーソナルコンピュータ、ワークステーション、ＰＤＡなどの情報端末機器であってもよい。上述した電子チケット管理サーバ１０１、タッチパネル端末１０２およびクライアントコンピュータ１０３は、中央処理装置（ＣＰＵ）、メモリ、記憶装置などを備えるコンピューティングデバイスであって、メモリまたは記憶装置に格納されたコンピュータプログラムをＣＰＵが処理することによって統括的に制御され、本発明に係る処理を実行し、その機能を実現することができる。なお、上述したシステム構成は、例示のためのものであり、本発明を実行することができるシステム構成を限定するものではない。
【００２６】
次に、図３を参照して、電子チケット管理サーバ１０１およびタッチパネル端末１０２の構成の例を説明する。
【００２７】
電子チケット管理サーバ１０１は、通信部１１０、制御部１２０、主記憶部１３０、および、補助記憶部１４０を備え、それらの各要素がシステムバスを介して接続されている。
【００２８】
通信部１１０は、ネットワーク１０４を介してそれぞれ接続されたタッチパネル端末１０２およびクライアントコンピュータ１０３との間で、データを送受信する。
【００２９】
制御部１２０は、中央処理装置（ＣＰＵ）とも呼ばれ、上記各構成要素の制御やデータの演算を行い、また、補助記憶部１４０に格納されている各種プログラムを主記憶部１３０に読み出して実行する。主記憶部１３０は、メインメモリとも呼ばれ、電子チケット管理サーバ１０１が受信した入力データ、コンピュータ実行可能な命令および当該命令による演算処理後のデータなどを記憶する。
【００３０】
補助記憶部１４０は、ハードディスク（ＨＤＤ）などに代表される記憶装置であり、電子チケット管理データ記憶部１４１などのデータベーステーブルを格納している。また、補助記憶部１４０は、制御部１２０に、本発明に係る各種処理を実行させるためのプログラム（図示せず）を格納している。
【００３１】
タッチパネル端末１０２は、通信部２１０、制御部２２０、主記憶部２３０、補助記憶部２４０、およびタッチパネルディスプレイ２５０を備え、それらの各要素がシステムバスを介して接続されている。
【００３２】
通信部２１０は、搬送波を送受信して無線基地局と通信し、ネットワーク１０４を介して電子チケット管理サーバ１０１とデータを送受信する。
【００３３】
制御部２２０は、中央処理装置であり、上記各構成要素の制御やデータの演算を行い、また、補助記憶部２４０に格納されている電子チケット処理プログラム２４２を主記憶部２３０に読み出して実行する。主記憶部２３０は、メインメモリとも呼ばれ、タッチパネル端末１０２が受信した入力データ、コンピュータ実行可能な命令および当該命令による演算処理後のデータなどを記憶する。
【００３４】
補助記憶部２４０は、電子チケット管理データ記憶部２４１などのデータベーステーブル、および、電子チケット管理サーバ１０１からダウンロードした電子チケット処理プログラム２４２を格納している。
【００３５】
タッチパネルディスプレイ２５０は、電子チケット管理サーバ１０１からダウンロードした電子チケットデータを表示し、ユーザによる所定の入力操作を、抵抗膜方式または静電容量方式などの技術を利用して検出する。タッチパネルディスプレイ２５０は、指などによって押圧されると、押圧された位置をＸ軸およびＹ軸の座標情報に変換し、押圧開始位置情報として制御部２２０へ送信する。タッチパネルディスプレイ２５０はまた、上記押圧が解除されると（指などを離す）、押圧が解除された位置をＸ軸およびＹ軸の座標情報に変換し、押圧終了情報として制御部２２０へ送信する。
【００３６】
＜第１の実施形態＞
次に、図４のフローチャートを参照して、本発明の第１の実施形態に係る電子チケット管理方法が実行する処理を説明する。ユーザＡは、自身と、家族であるユーザＢおよびユーザＣとの３人分のチケット対象に対する電子チケット（以下、それぞれ電子チケット１、２および３）を購入しているものとする。図４のタッチパネル端末１０２において実行される処理は、制御部２２０が、補助記憶部２４０に格納された電子チケット処理プログラム２４２の実効命令を読み出して実行することにより実現される。
【００３７】
＜電子チケットデータダウンロード＞
電子チケット管理サーバ１０１は、ユーザＡの電子チケット購入処理に応じて、電子チケットデータを生成する。生成した電子チケットデータのレコードは、電子チケット管理データ記憶部１４１に追加される（Ｓ４０１）。このような状態で、ユーザＡが有するタッチパネル端末１０２から該当のチケット対象に対する電子チケットデータのダウンロード要求があると（Ｓ４０２）、制御部１２０は、当該チケット対象に対応するチケット対象ＩＤに基づいて、電子チケット管理データ記憶部１４１からレコードを取得する。取得した電子チケット管理データレコードは、通信部１１０によってタッチパネル端末１０２に送信される（Ｓ４０３）。
【００３８】
タッチパネル端末１０２の通信部２１０は、Ｓ４０３で送信された電子チケットデータレコードを受信し、電子チケット管理データ記憶部２４１にレコードを追加する（Ｓ４０４）。図５に、電子チケット管理データ記憶部２４１の例を示している。
【００３９】
電子チケット管理データ記憶部２４１は、項目「チケット対象ＩＤ」、「電子チケットＩＤ」、「処理済フラグ」、「ダウンロード日時」、「有効開始日時」、「有効終了日時」、「分配回数」、「分配制限数」および「分配可否」を有する。項目「チケット対象ＩＤ」は、各チケット対象を識別するＩＤであり、別個のチケット対象データテーブル（図示せず）から、当該チケット対象ＩＤに基づいて該当のチケット対象データを取得する。項目「電子チケットＩＤ」は、同一のチケット対象に対する複数の電子チケットのそれぞれを識別するＩＤであり、電子チケットＩＤとチケット対象の場所の座席番号などとがマッピングされる（マッピングテーブルは図示せず）。項目「処理済フラグ」は、もぎり処理が実行されたか否かを示しており、もぎり処理が実行されると「１：もぎり処理済み」に更新される。項目「ダウンロード日時」は、タッチパネル端末１０２に電子チケットデータレコードがダウンロードされた日時が設定される。項目「有効開始日時」および「有効終了日時」は、チケット対象に対するもぎり処理が有効な日時の開始日時と終了日時とを示しており、この有効期間以外のもぎり処理を実行できないよう制御するが、詳細は後述する。項目「分配回数」、「分配制限数」および「分配可否」については、分配機能を実現するために使用されるが、詳細は後述する。なお、電子チケット管理サーバ１０１が有する電子チケット管理データ記憶部１４１は、上述した電子チケット管理データ記憶部２４１と同一の項目を有するデータベーステーブルであり、電子チケット管理サーバ１０１は当該データの全レコードを保持し、および、タッチパネル端末１０２は当該端末で購入した電子チケットに対応するレコードのみを保持している。
【００４０】
次に、電子チケット管理サーバ１０１の制御部１２０は、Ｓ４０３で取得した電子チケット管理データ記憶部１４１の電子チケット管理データレコードの項目「ダウンロード日時」を、Ｓ４０３において電子チケット管理データレコードがタッチパネル端末１０２に送信された日時に更新する（Ｓ４０５）。
【００４１】
Ｓ４０１乃至Ｓ４０４の処理が実行されると（Ｓ４０５の処理の終了は条件ではない）、ユーザＡのタッチパネル端末１０２では、図５に示す電子チケット管理データ記憶部２４１の３件（電子チケット１乃至３）のレコードを保持していることになる。この状態で、チケット対象の当日にユーザＡ、ＢおよびＣが来場し、入場口においてもぎり処理を実行することが可能になる。
【００４２】
＜もぎり処理＞
チケット対象の当日に、タッチパネル端末１０２を有するユーザＡが、ユーザＢおよびＣとともにチケット対象の場所に来場し、Ｓ４０６以降の処理において、電子チケット１乃至３のもぎり処理が実行される。なお、以下のＳ４０６乃至Ｓ４１１の処理は、タッチパネル端末１０２において実行される処理であるので、電子チケット管理サーバ１０１と通信していない状態、すなわちオフライン状態でも実行することができる。
【００４３】
まず、Ｓ４０６において、ユーザＡがタッチパネル端末１０２のタッチパネルディスプレイ２５０に表示されたメニュー画面から該当のチケット対象を選択すると、制御部２２０は、当該チケット対象のチケット対象ＩＤに基づいて、電子チケット管理データ記憶部２４１から該当の３件のレコードを取得する。取得した電子チケット管理データレコードは、チケット情報を付加して（チケット対象ＩＤおよびチケットＩＤに基づいて、別個のチケットデータテーブル（図示せず）からチケットデータを取得する）、タッチパネルディスプレイ２５０に表示される。図６では、電子チケットデータが表示されたタッチパネルディスプレイ２５０を示している。
【００４４】
図６のタッチパネルディスプレイ２５０には、電子チケット画像６０１、６０２および６０３が表示されており、電子チケット１、２および３にそれぞれ対応する。このような状態で、ユーザＡは、チケット対象主催の係員にタッチパネル端末１０２を手渡し、当該係員が該当の電子チケットを選択し、タッチパネルディスプレイ２５０の下部に表示された検出領域画像６０４に対し、所定の入力操作を行うことで、当該電子チケットのもぎり処理が実行される。
【００４５】
係員は、電子チケット画像６０１に対して所定の入力操作を行うと、（Ｓ４０７）。画像選択入力操作は、指が電子チケット画像６０１の領域上の任意の点に触れる操作（タップ入力）、指が電子チケット画像６０１の領域上の１点を指示してからそのまま任意の方向に素早く弾かれる操作（フリック入力）、または、電子チケット画像６０１の領域において指による接触が継続したまま所定方向にスライドする操作（スライド入力）などが含まれる。上記検出は、タッチパネルディスプレイ２５０が、開始押圧情報および終了押圧情報を検出し、制御部２２０が当該情報に基づいて、補助記憶部２４０に格納された画像選択入力操作に応じた所定のパターンと一致するか否かにより判定される。画像選択入力操作が検出されると、選択された電子チケット画像６０１は、網掛けなどの強調表示がされ、選択された状態であることを示してもよい。
【００４６】
次に、係員は、検出領域画像６０４に対して所定の入力操作を行うと、上述した検出方法と同様の方法で、タッチパネルディスプレイ２５０は当該入力操作（以下、「もぎり処理判定入力操作」）を検出する（Ｓ４０８）。もぎり処理判定入力操作について、検出領域画像６０４上で指を所定方向にスライドさせると、図７に示すように、それに応じて検出領域画像７０４Ａがスライド方向に移動し、検出領域画像７０５と分離する。その状態で、所定方向に指のスライドを継続して、検出領域画像７０４Ａの表示枠が検出領域画像７０５の表示枠から一定の距離を移動すると、タッチパネルディスプレイ２５０によってもぎり処理判定入力操作が検出される。このようにして、検出領域画像７０４Ａおよび７０５に可視可能な表示枠を表示することによって、所定の入力操作を行うユーザにとって、スライドする距離を理解することを容易にし、ひいては、もぎり処理判定入力操作が認識されないといった事態を防止することが可能になる。なお、このようなもぎり処理判定入力操作は例示的なものにすぎず、例えば、検出領域画像に対するタップ入力もしくはダブルタップ、所定方向へのスライド入力、または、フリック入力などであってもよい。
【００４７】
もぎり処理判定入力操作が検出されると、制御部２２０はＳ４０６で取得した電子チケット管理データレコード（電子チケット画像６０１に対応するレコード）の項目「有効開始日時」および「有効終了日時」を参照して、検出した日時が上記有効期限の範囲内か否かを判定する（Ｓ４０９）。判定の結果、有効期限の範囲内である場合は後続の処理に進み、有効期限の範囲内でない場合は処理を終了する。このように、例えば、有効期限をチケット対象の当日に設定し、チケット対象の当日以外のもぎり処理を無効にすることによって、ユーザが誤ってもぎり処理判定入力操作を行って意図しないもぎり処理が実行されてしまうことを防止することができる。なお、上述した有効期限判定処理は、もぎり処理判定入力操作以外の別の所定の入力操作（以下、「有効期限判定入力操作」を検出することによって判定されてもよく、または、Ｓ４０６において電子チケット管理データレコードをタッチパネルディスプレイ２５０上に表示する際に判定されてもよい。有効期限判定入力操作は、検出領域画像６０４に対する所定のタップ入力、フリック入力またはスライド入力などであってもよい。もぎり処理判定入力操作とは別に有効期限判定入力操作を検出することによって、有効期限判定処理を実行する場合は、有効期限判定入力操作を検出して、有効期限判定処理を実行し、その後、もぎり処理判定入力操作が検出される構成となる。
【００４８】
Ｓ４０９の判定において、ＹＥＳと判定されると、制御部１２０は電子チケット管理データ記憶部２４１の該当レコードの項目「処理済フラグ」を「１：もぎり処理済み」に更新する（Ｓ４１０）。なお、「処理済フラグ」に「１：もぎり処理済み」が設定された電子チケットについては、再度のもぎり処理を実行しても、そのもぎり処理は拒否されるように制御される。
【００４９】
次に、制御部２２０は、もぎり処理が実行された電子チケット画像を、もぎり処理後の画像に更新して表示するように、タッチパネルディスプレイ２５０に指示する（Ｓ４１１）。もぎり処理後の画像は、図７に示すように、図７Ａの電子チケット画像７０１Ａが図７Ｂの電子チケット画像７０１Ｂに更新され、検出領域画像７０４Ｂに示すように、検出領域画像はもぎり処理前の画像に戻る。このような構成によって、再度のレンダリング処理を実行することなく、ユーザＡが後続のユーザＢおよびＣに対する電子チケット２および３のもぎり処理を連続して、上述した方法と同様に実行することが可能となる。
【００５０】
また、Ｓ４０７において、タッチパネルディスプレイ２５０上に表示された電子チケット画像６０１、６０２または６０３のいずれかを選択し、もぎり処理を実行することができるので、特許文献１および２に記載された発明と比較して、複数チケットの一括購入をしたようなケースにおいても、より簡易な操作で対処することが可能になる。
【００５１】
次に、通信部２１０は、Ｓ４１０で更新した電子チケット管理データ記憶部２４１のレコード、または、当該レコードを特定するデータ（例えば、チケット対象ＩＤおよびチケットＩＤ）およびもぎり処理が実行されたことを示すインジケーションを電子チケット管理サーバ１０１に送信する（Ｓ４１２）。電子チケット管理サーバ１０１の通信部１１０は、上記レコードまたはデータを受信し、当該レコードまたはデータに基づいて、電子チケット管理データ記憶部１４１の該当レコードの項目「処理済フラグ」を「１：もぎり処理済み」に更新する（Ｓ４１３）。このようにして、もぎり処理が実行された時点で電子チケット管理サーバ１０１およびタッチパネル端末１０２の双方における電子チケット管理データ記憶部１４１および２４１を更新することによって、データの同期をとることができる。なお、Ｓ４１２およびＳ４１３の処理は、もぎり処理後に即時に実行される必要はなく、もぎり処理がされた日、または、その翌日以降の任意のタイミングで実行されてもよい。
【００５２】
＜分配機能＞
次に、本発明に係る電子チケット管理方法の分配機能について説明する。図４のＳ４０１乃至Ｓ４０５の処理を経て、ユーザＡが有するタッチパネル端末１０２ａの電子チケット管理データ記憶部２４１に、電子チケット１、２および３に対応する３件のレコードが保持されていることを前提とする。そして、チケット対象の場所にユーザＡのみが来場し、ユーザＢおよびＣが遅れて来場する状況を想定する（ユーザＢは、タッチパネル端末１０２ｂを有する）。
【００５３】
ユーザＡは、タッチパネル端末１０２ａにおいて、分配メニューを選択する（図示せず）。そして、分配メニューを選択すると、図８のタッチパネル端末１０２ａに示すように、電子チケット１、２および３に対応する３件の電子チケット画像が表示される。このような状態において、ユーザＡは、ユーザＢの電子チケット２に対応する電子チケット画像８０２Ａに対し、画像選択入力操作を行うと、タッチパネルディスプレイ２５０は当該画像選択入力操作を検出して、電子チケット画像８０２Ａが強調表示される。そして、ユーザＢが有するタッチパネル端末１０２ｂのメールアドレスがアドレス入力ボックス８０４に入力されて、送信ボタン８０５が押下されると、タッチパネル端末１０２ａの通信部２１０は電子チケット２に対応する電子チケットデータをタッチパネル端末１０２ｂにメール送信する。同様に、ユーザＣに対する電子チケット３についても同様の処理を実行して、電子チケットデータをタッチパネル端末１０２ｂに送信する。送信された電子チケットデータを受信したタッチパネル端末１０２ｂにおいては、ＵＲＬが表示され、ユーザＢが当該ＵＲＬをクリックすると、図８に示すタッチパネル端末１０２ｂの画面に遷移することが可能になる。
【００５４】
上述した方法で送信された電子チケット２および３に対応する電子チケットデータは、タッチパネル端末１０２ｂの電子チケット管理データ記憶部２４１に追加される。このようにして、ユーザＢは、タッチパネル端末１０２ｂを使用して、電子チケット２および３に対応する電子チケット画像８０２Ｂおよび８０３Ｂに対してそれぞれもぎり処理を実行して、チケット対象の場所に入場することができる。
【００５５】
上述した分配機能によって、タッチパネル端末１０２ａにおいて複数の電子チケットを一括購入して、当該端末に保持されている電子チケットデータを他の端末に送信することによって、当該他の端末を使用してもぎり処理を実行することが可能になる。ひいては、チケット対象の参加者うちの一部がチケット対象の場所へ来場するのが遅れたケースにも対応することが可能になる。
【００５６】
なお、上述した分配機能は、分配機能を実行する都度、電子チケット管理データ記憶部２４１の項目「分配回数」の値をインクリメントし、当該値が、項目「分配制限数」の予め設定された値と比較して分配可否を判定することによって、分配回数に制限を設けるよう制御してもよい。また、電子チケット管理データ記憶部２４１の項目「分配可否」に、チケット対象別に予め設定された値「１：分配可」または「２：分配不可」を参照して分配可否を判定することによって、チケット対象別に分配そのものを禁止するよう制御してもよい。このような制御によって、営利目的の転売や不正な大量取得を抑止することが可能になる。
【００５７】
加えて、上記メール送信の際に、電子チケットデータとともに、ユーザＢに対し、本願発明の電子チケット管理方法に係るサービスへのユーザ登録を促す旨のメッセージを送信してもよい。または、上記メール送信にてタッチパネル端末１０２ｂとの通信の際に、タッチパネル端末１０２ｂが有する情報（例えば、タッチパネル端末１０２ｂのメールアドレス、加入者情報など）をタッチパネル端末１０２ａが取得し、当該情報がタッチパネル端末１０２ａによって電子チケット管理サーバ１０１に送信されるように構成してもよい。電子チケット管理サーバ１０１に送信された当該情報は、電子チケット管理サーバ１０１において保持されるユーザデータ記憶部（図示せず）に追加される。このようにすることによって、チケットを購入したタッチパネル端末１０２ａを有するユーザのみがユーザ登録されていた状況において、分配先の他のユーザにもユーザ登録を促し、マーケティング可能なユーザ層を拡充することが可能になる。
【００５８】
＜第２の実施形態＞
次に、図９のフローチャートを参照して、本発明の第２の実施形態に係る電子チケット管理方法が実行する処理を説明する。ユーザＡは、自身と、家族であるユーザＢおよびユーザＣとの３人分のチケット対象に対する電子チケット（以下、それぞれ電子チケット１、２および３）を購入しているものとする。図９のＳ９０１乃至Ｓ９０５における電子チケットデータダウンロードの処理は、図４で説明したＳ４０１乃至Ｓ４０５と同一であるので、ここでの説明は省略する。
【００５９】
Ｓ９０６では、ユーザＡがタッチパネル端末１０２のタッチパネルディスプレイ２５０に表示されたメニュー画面から該当のチケット対象を選択すると、制御部２２０は、当該チケット対象のチケット対象ＩＤに基づいて、電子チケット管理データ記憶部２４１から該当の３件のレコードを取得する。取得した電子チケット管理データレコードは、チケット情報を付加して（チケット対象ＩＤおよびチケットＩＤに基づいて、別個のチケットデータテーブル（図示せず）からチケットデータを取得する）、タッチパネルディスプレイ２５０に表示される。図１０Ａでは、電子チケットデータが表示されたタッチパネルディスプレイ２５０を示している。
【００６０】
図１０Ａのタッチパネルディスプレイ２５０には、電子チケット画像１００１Ａ、１００２Ａおよび１００３が表示されており、電子チケット１、２および３にそれぞれ対応する。また、タッチパネルディスプレイ２５０には、券面情報画像１００４およびチケット選択数表示１００５Ａが表示される。券面情報画像１００４は、該当のチケット対象の情報を表示する画像であり、所定の領域に券面情報画像インジケータ１００４ａが表示される。なお、券面情報画像１００４が表示する情報は、該当のチケット対象のチケット対象ＩＤに基づいて、別個のチケットデータテーブル（図示せず）からチケット対象データを取得するようにしてもよい。
【００６１】
係員は、電子チケット画像１００１Ａおよび１００２Ａに対して画像選択入力操作を行うと、タッチパネルディスプレイ２５０は当該画像選択入力操作を検出する（Ｓ９０７）。画像選択入力操作が検出されると、図１０Ａおよび１０Ｂに示すように、チケット選択数表示１００５Ａが１００５Ｂに更新され、選択された電子チケットの数を示すようになる。また、選択された電子チケット画像１００１Ａおよび１００２Ａは、電子チケット画像１００１Ｂおよび１００２Ｂにそれぞれ更新され、選択された状態であることを示すようになる。
【００６２】
次に、係員は、券面情報画像１００４に対して所定の入力操作を行うと、タッチパネルディスプレイ２５０は当該入力操作（以下、検出領域画像表示入力操作）を検出する（Ｓ９０８）。ここで、検出領域画像表示入力操作は、２本の指が券面情報画像１００４の領域上の任意の２点に触れる操作（タップ入力）、２本の指が券面情報画像１００４の領域上の任意の２点を指示してからそのまま任意の方向に素早く弾かれる操作（フリック入力）、または、券面情報画像１００４の領域において２本の指が任意の２点に接触したまま所定方向にスライドする操作（スライド入力）などが含まれる。なお、上記入力操作は、一度、任意の２点に接触すれば、その後にスライドなどをさせる際には、１点への接触による操作であってもよい。
【００６３】
券面情報画像インジケータ１００４ａは、券面情報画像１００４の領域上の任意の２点に２本の指を接触させることを示すインジケータであるが、当該インジケータ上に２本の指を接触させることによって、検出領域画像表示入力操作を検出する構成にしてもよい。または、当該インジケータに関わらず、券面情報画像１００４の領域上の任意の２点に指を接触させることによって、検出領域画像表示入力操作を検出する構成にしてもよい。このような構成によって、検出領域画像表示入力操作を行うユーザにとって、券面情報画像１００４の領域上の任意の２点（または、券面情報画像インジケータ１００４ａで示される２点）に２本の指を接触させることを理解することを容易にする。なお、券面情報画像インジケータ１００４ａは、任意の２点に限定されず、任意の２以上の点に設けられてもよい。この場合は、券面情報画像インジケータ１００４ａの数に対応する数の指が接触することにより、入力操作が検出される。
【００６４】
検出領域画像表示入力操作の検出は、タッチパネルディスプレイ２５０が、券面情報画像１００４の領域上の任意の２点における開始押圧情報および終了押圧情報を検出し、制御部２２０が当該情報に基づいて、補助記憶部２４０に格納された画像選択入力操作に応じた所定のパターンと一致するか否かにより判定される。
【００６５】
検出領域画像表示入力操作が検出されると、制御部２２０は、検出領域画像１１０４を表示するようにタッチパネルディスプレイ２５０に指示する（Ｓ９０９）。図１１に示すように、検出領域画像１１０４は、券面情報画像１００４が表示されていた領域に表示される。検出領域画像１１０４は、券面情報画像１００４上に重ねて表示されてもよく、または、券面情報画像１００４を更新して表示されてもよい。検出領域画像１１０４上にも、検出領域画像１１０４の領域上の任意の２点に２本の指を接触させることを示す検出領域画像インジケータ１１０４ａが表示される。
【００６６】
次に、係員は、検出領域画像１１０４に対して所定の入力操作を行うと、タッチパネルディスプレイ２５０はもぎり処理判定入力操作を検出する（Ｓ９１０）。もぎり処理判定入力操作について、検出領域画像１１０４の領域上の任意の２点に２本の指を接触させて所定方向にスライドさせると、図１２Ａに示すように、それに応じて検出領域画像１１０４がスライド方向に移動する。そして、検出領域画像１１０４は、検出領域画像１１０４Ａと検出領域画像１１０４Ｂとに分離する。その状態で、所定方向に指のスライドを継続して、検出領域画像７０４Ａが一定の距離を移動すると、検出領域画像１１０４Ｂが更新され（図１２Ｂの例では、背景色が更新される）、タッチパネルディスプレイ２５０によってもぎり処理判定入力操作が検出される。このような構成によって、もぎり処理判定入力操作を行うユーザにとって、スライドする距離を理解することを容易にし、ひいては、もぎり処理判定入力操作が認識されないといった事態を防止することが可能になる。なお、このようなもぎり処理判定入力操作は例示的なものにすぎず、例えば、検出領域画像に対するタップ入力もしくはダブルタップ、所定方向へのスライド入力、または、フリック入力などであってもよい。
【００６７】
もぎり処理判定入力操作が検出されると、制御部２２０はＳ９０６で取得した電子チケット管理データレコード（電子チケット画像１００１に対応するレコード）の項目「有効開始日時」および「有効終了日時」を参照して、検出した日時が上記有効期限の範囲内か否かを判定する（Ｓ９１１）。判定の結果、有効期限の範囲内である場合は後続の処理に進み、有効期限の範囲内でない場合は処理を終了する。なお、上述した有効期限判定処理は、もぎり処理判定入力操作以外の別の所定の入力操作（以下、「有効期限判定入力操作」を検出することによって判定されてもよく、または、Ｓ９０６において電子チケット管理データレコードをタッチパネルディスプレイ２５０上に表示する際に判定されてもよい。有効期限判定入力操作は、検出領域画像１１０４に対する所定のタップ入力、フリック入力またはスライド入力などであってもよい。もぎり処理判定入力操作とは別に有効期限判定入力操作を検出することによって、有効期限判定処理を実行する場合は、有効期限判定入力操作を検出して、有効期限判定処理を実行し、その後、もぎり処理判定入力操作が検出される構成となる。
【００６８】
Ｓ９１１の判定において、ＹＥＳと判定されると、制御部２２０は、検出領域画像を、もぎり処理後の画像に更新して表示するように、タッチパネルディスプレイ２５０に指示する（Ｓ９１２）。もぎり処理後の画像は、図１２Ｂおよび図１３Ａに示すように、検出領域画像１１０４Ａおよび１１０４Ｂから検出領域画像１１０４Ｃに更新される。
【００６９】
次に、制御部１２０は電子チケット管理データ記憶部２４１の該当レコードの項目「処理済フラグ」を「１：もぎり処理済み」に更新する（Ｓ９１３）。なお、「処理済フラグ」に「１：もぎり処理済み」が設定された電子チケットについては、再度のもぎり処理を実行しても、そのもぎり処理は拒否されるように制御される。
【００７０】
次に、制御部２２０は、もぎり処理が実行された電子チケット画像、およびチケット選択数表示を、もぎり処理後の画像にそれぞれ更新して表示するように、タッチパネルディスプレイ２５０に指示する（Ｓ９１４）。もぎり処理後の画像は、図１３Ａおよび１３Ｂに示すように、電子チケット画像１００１Ｂおよび１００２Ｂから電子チケット画像１００１Ｃおよび１００２Ｃにそれぞれに更新される。また、チケット選択数表示１００５Ｂからチケット選択数表示１００５Ｃに更新される。
【００７１】
次に、制御部２２０は、券面情報画像１００４を再度表示するように、タッチパネルディスプレイ２５０に指示する（Ｓ９１５）。このような構成によって、再度のレンダリング処理を実行することなく、ユーザＡが後続の電子チケット３のもぎり処理を、上述した方法と同様に実行することが可能となる。
【００７２】
次に、通信部２１０は、Ｓ９１３で更新した電子チケット管理データ記憶部２４１のレコード、または、当該レコードを特定するデータ（例えば、チケット対象ＩＤおよびチケットＩＤ）およびもぎり処理が実行されたことを示すインジケーションを電子チケット管理サーバ１０１に送信する（Ｓ９１６）。電子チケット管理サーバ１０１の通信部１１０は、上記レコードまたはデータを受信し、当該レコードまたはデータに基づいて、電子チケット管理データ記憶部１４１の該当レコードの項目「処理済フラグ」を「１：もぎり処理済み」に更新する（Ｓ９１７）。
【００７３】
以上、説明したように、本発明に係る電子チケット管理方法の第２の実施形態では、券面情報画像および検出領域画像がタッチパネルディスプレイ２５０上の領域を共有しているので、タッチパネルディスプレイ２５０の領域を効率よく利用することができる。
【００７４】
また、検出領域画像表示入力操作およびもぎり処理判定入力操作を、券面情報画像１００４および検出領域画像１１０４の領域上の任意の２点に２本の指を接触させることによって検出する構成としていることから、誤ってもぎり処理を実行してしまうことを低減させることができる。
【００７５】
以上のように、本発明に係る電子チケット管理方法の説明を詳述したが、実施形態で説明した、電子チケット管理データ記憶部１４１および２４１などの具体的なデータ構造は例示的なものにすぎず、特許請求する事項から逸脱しない範囲で変更がされてもよい。
【符号の説明】
【００７６】
１１    検出領域
１０１    電子チケット管理サーバ
１０２ａ  タッチパネル端末
１０２ｂ  タッチパネル端末
１０２ｃ  タッチパネル端末
１０３    クライアントコンピュータ
１０４    ネットワーク
６０１    電子チケット画像
６０２    電子チケット画像
６０３    電子チケット画像
６０４    検出領域画像
７０１Ａ  電子チケット画像
７０１Ｂ  電子チケット画像
７０４Ａ  検出領域画像
７０４Ｂ  検出領域画像
７０５    検出領域画像
８０２Ａ  電子チケット画像
８０２Ｂ  電子チケット画像
８０３Ａ  電子チケット画像
８０３Ｂ  電子チケット画像
８０４    アドレス入力ボックス
８０５    送信ボタン
１００１Ａ  電子チケット画像
１００１Ｂ  電子チケット画像
１００１Ｃ  電子チケット画像
１００２Ａ  電子チケット画像
１００２Ｂ  電子チケット画像
１００２Ｃ  電子チケット画像
１００３    電子チケット画像
１００４    券面情報画像
１００４ａ  券面情報画像インジケータ
１００５Ａ  チケット選択数表示
１００５Ｂ  チケット選択数表示
１００５Ｃ  チケット選択数表示
１１０４    検出領域画像
１１０４Ａ  検出領域画像
１１０４Ｂ  検出領域画像
１１０４Ｃ  検出領域画像
１１０４ａ  検出領域画像インジケータ
【図１】
0006053731.tif 000002
【図２】
0006053731.tif 000003
【図３】
0006053731.tif 000004
【図４】
0006053731.tif 000005
【図５】
0006053731.tif 000006
【図６】
0006053731.tif 000007
【図７】
0006053731.tif 000008
【図８】
0006053731.tif 000009
【図９】
0006053731.tif 000010
【図１０】
0006053731.tif 000011
【図１１】
0006053731.tif 000012
【図１２】
0006053731.tif 000013
【図１３】
0006053731.tif 000014